(57)【要約】【課題】火災受信機からの設定により、すべてまたは一部の火災表示機において火災情報を表示できる火災報知設備を提供する。【解決手段】火災報知設備は、少なくとも１つの感知器と複数の火災表示機とが火災受信機に接続されて構成された火災報知設備であって、上記火災受信機が、上記感知器からの感知信号に応答して上記火災表示機に表示させるための表示情報に、表示を行わせる火災表示機を指定するアドレス情報を付加した送信データを各火災表示機に送信し、上記火災表示機が、受信した上記送信データの上記アドレス情報に自身のアドレスが指定されているときだけ上記火災情報に従って表示を行う。【選択図】図３
2005099946.tif 000002
【特許請求の範囲】
【請求項１】
少なくとも１つの感知器と複数の火災表示機とが火災受信機に接続されて構成された火災報知設備であって、
上記火災受信機が、上記感知器からの感知信号に応答して上記火災表示機に表示させるための表示情報に表示を行わせる火災表示機を指定するアドレス情報を付加した送信データを各火災表示機に送信し、
上記火災表示機が、受信した上記送信データの上記アドレス情報に自身のアドレスが指定されているときだけ上記火災情報に従って表示を行う、
ことを特徴とする火災報知設備。
【請求項２】
上記火災受信機が、
上記感知器に対応する上記表示情報および上記表示情報に基づく表示を行わせる火災表示機のアドレス情報を格納した記憶手段と、
上記感知器から感知信号を受けた時、上記記憶手段に記憶された対応する上記表示情報とアドレス情報を含む送信データを送信する表示制御手段と、
を有することを特徴とする請求項１に記載の火災報知設備。
【請求項３】
上記火災受信機が、上記記憶手段の表示情報およびアドレス情報を変更する火災表示機変更手段を有することを特徴とする請求項２に記載の火災報知設備。
【請求項４】
上記送信データを送信するために用いられている信号フレームは、上記表示情報に火災表示機に対するアドレス情報を付加するような構成であることを特徴とする請求項１乃至３のいずれか１項に記載の火災報知設備。
【発明の詳細な説明】
【技術分野】
【０００１】
この発明は、火災受信機からの火災検知情報などを表示する火災表示機を備えた火災報知設備に関する。
【背景技術】
【０００２】
従来の火災報知設備は、火災情報を現場の関係者に周知する複数の火災表示機を備えている。火災表示機は、中央制御室に設置された火災受信機の盤面に示されたすべての内容または関連する区域だけの内容を表示する。ここで関連区域だけの表示は、個々の火災表示機に対して設定することにより表示する内容を選択している（例えば、特許文献１参照。）。
【０００３】
【特許文献１】特開２００２−１７５５７３号公報
【発明の開示】
【発明が解決しようとする課題】
【０００４】
このような火災報知設備において関連区域だけの表示を行おうとすると、個々の火災表示機に対して設定を行う必要がある。個々の火災表示機は、現場に設置されているので、それぞれの現場での設定作業となり、面倒である。
例えば、火災表示機が数十台設置されているときは、あらかじめその数十台に対して設定作業を行わなければならない。また、設定の変更が必要な場合も、個々の火災表示機の現場を確定して行わなければならず煩雑な作業になる。
【０００５】
この発明の目的は、火災受信機からの設定により、すべてまたは一部の火災表示機において火災情報を表示できる火災報知設備を提供することである。
【課題を解決するための手段】
【０００６】
この発明の火災報知設備は、少なくとも１つの感知器と複数の火災表示機とが火災受信機に接続されて構成された火災報知設備であって、上記火災受信機が、上記感知器からの感知信号に応答して上記火災表示機に表示させるための表示情報に、表示を行わせる火災表示機を指定するアドレス情報を付加した送信データを各火災表示機に送信し、上記火災表示機が、受信した上記送信データの上記アドレス情報に自身のアドレスが指定されているときだけ上記火災情報に従って表示を行う。
【発明の効果】
【０００７】
この発明の火災報知設備に係わる効果は、表示を行いたい火災表示機を特定できるアドレス情報を、表示させようとする火災情報と合わせて送信するので、個々の火災表示機に区域の情報を設定するような設定作業が省略することができるとともに、火災受信機での一元管理も可能となる。
また、表示情報の要否は、感知器の発報に基づき、感知器ごとに火災表示機の要否を整理して設定することができる。
また、データベースとして変更することができる。
また、送信回数が１回で済み、必要な火災表示機に時間差なしに表示させることができる。
また現場のレイアウトを変更する際、作業者は現場に行かなくても火災受信機の設定変更だけをすればいいので、作業が簡単に済む。
【発明を実施するための最良の形態】
【０００８】
実施の形態１．
図１は、この発明の火災報知設備の構成を示す図である。火災報知設備は、火災の発生を感知する複数の感知器１と、感知器１から発報された感知信号に対応して火災表示機２にその火災情報を送信する火災受信機３と、火災受信機３から送信された火災情報を表示する複数の火災表示機２とを有する。
【０００９】
火災受信機３は、端末伝送用信号線４１を介して感知信号を受信する端末伝送部５と、表示機伝送用信号線４２を介して表示制御信号を火災表示機２に送信する表示機伝送部６と、受信された感知信号に基づき、火災表示機２の表示を制御する表示制御信号を創成する表示制御手段７と、盤面に設けられた火災情報を表示する表示部８と、外部からデータを入力するために用いられる操作部９とを有している。
なお、図１では端末伝送用信号線４１には、複数の感知器１のみが接続されているが、少なくとも１つの感知器が接続されていればよい。また、各種端末として感知器１のみでなく、その他の地区音響装置や防排煙機器等制御される機器を接続してもよい。
【００１０】
図２に示すように、表示制御手段７は、受信された感知信号に基づき、感知信号を発報した感知器１のアドレスを特定し、記憶手段１０に記憶されている表示要不要データから、表示を要する火災表示機２を特定し、その火災表示機２のディジタルアドレス情報を創成する表示機特定手段１１と、感知信号に基づき、発生時刻、発報した感知器種類、発報した場所、対象ゾーンなどからディジタル火災表示情報を創成する表示内容創成手段１２と、表示機特定手段１１で創成されたディジタルアドレス情報２と表示内容創成手段１２で創成されたディジタル火災表示情報とから送信データを創成し、表示機伝送部６に送る送信データ創成手段１３と、操作部９から入力された感知器１の火災感知に関連して火災情報の表示を必要とする火災表示機２の情報に基づき、記憶手段１０に記憶されている表示要不要データを変更する火災表示機変更手段１４とを有する。火災表示機変更手段１４は、記憶手段１０の表示情報を変更するだけでなく、記憶手段１０に記憶されている火災表示機２のアドレス情報も変更できるようにしてもよい。表示制御手段７は、ＣＰＵ、ＲＡＭ、フラッシューメモリ、インターフェース回路を有するマイクロコンピュータによって構成されている。
さらに、表示要不要データは、設定器で設定して、データベース全体としてフラッシューメモリに書き込むこともできる。
【００１１】
図３に、あらかじめ外部からの設定によって定められ、記憶手段１０に記憶されている表示要不要データを示す。表示要不要データには、感知器１の種類、アドレス、設置階およびゾーン設定が合わせて記憶されている。これらのデータは、操作部９から所定のデータを入力することにより内容を変更することができる。ここで、アドレス情報とは、「表示要」と指定された火災表示機のアドレスである。例えば、火災表示機Ｎｏ．１は００１番と指定でき、火災表示機Ｎｏ．３０は０３０番と指定できる。
ここで、この実施の形態１において、感知器１にも火災表示機２にもアドレス情報が用いられるが、これらは異なる信号線に接続されるので、それぞれで端末として区別できればよく、理解のため、アドレス情報の００１番を、火災表示機２側には「Ｎｏ．１」とし、感知器１側には「ＡＤ１」として表現する。
そこで、感知器ＡＤ１〜ＡＤ３が感知信号を発した場合、火災受信機３は、表示要不要データから火災表示機Ｎｏ．１だけでこれらの感知信号に基づくディジタル火災表示情報を表示すると特定する。その結果、実際にディジタル火災表示情報を表示するのは火災表示機Ｎｏ．１だけである。また、感知器ＡＤ２５５が感知信号を発した場合、火災受信機３は、この感知信号に基づくディジタル火災表示情報は火災表示機Ｎｏ．３０だけで表示するとのアドレス情報を合わせて送信する。その結果、実際にディジタル火災表示情報を表示するのは火災表示機Ｎｏ．３０だけである。
【００１２】
火災受信機３の盤面の表示部８に表示する内容は、発生時刻、発報した感知器種類、発報した場所（ここでは設置階）、対象ゾーンなどである。
また、火災表示機２には火災受信機３の盤面の表示内容と同様に、あるいは簡略化または情報を追加するように表示情報を作成する。
【００１３】
火災表示機２は、図４に示すように、火災受信機３から送信データを受信し、受信したアドレス情報に自身の自己アドレスが指定されているかどうか判断し、自己アドレスが指定されているときディジタル火災表示情報を受信する伝送部１５と、受信したディジタル火災表示情報からＬＣＤ表示フォーマットに変換し、表示部１７を制御する表示制御部１６と、ＬＣＤ表示フォーマットに変換された火災表示情報が表示される表示部１７とを有する。
なお、ここで表示機の表示形態はＬＣＤ表示と記載したが、これに限らず、表示情報をどのような表示形態で表示してもよく、例えば、ＬＥＤ、プラズマディスプレイ、有機ＥＬ等のような表示形態で表示してもよい。
【００１４】
火災受信機３から火災表示機２にデータを送るために使われる通信フレームの構造は図５のようになっている。先頭から、プリアンブル、フレーム開始デリミタ、アドレスフィールド、情報フィールド、フレーム終了デリミタから構成されている。
プリアンブルは、８ビットからなり信号回路を安定状態にするために用いる。フレーム開始デリミタは、１ビットからなり有効フレームの先頭を示す。アドレスフィールドは、８ビットからなり、ディジタルアドレス情報を含み、この通信フレームを受信すべき火災表示機２の表示に使用する。情報フィールドは、ディジタル火災表示情報を含み、火災受信機３の盤面に表示した内容のうち必要な内容を送るために使用される。フレーム終了デリミタは、有効フレームの終わりを示す。
【００１５】
次に、火災表示機２に火災表示データを表示する手順を説明する。
火災受信機３は、感知信号を受信すると、アドレスに基づいて、図３に示すデータを読み出し、感知器１の情報を入手する。その情報として例えば感知器の種類、設定されているゾーン、設置されている場所などである。さらに、火災受信機３は、マイクロコンピュータに内蔵されているタイマから時刻を入手する。これら入手した発生時刻、発報した感知器名、対象ゾーンなどの情報をあらかじめ定められたフォーマットに従いディジタル火災表示情報に変換する。
さらに、記憶手段１０から読み出した表示要不要データから、発報した感知器に対応して火災情報の表示が必要な火災表示機２を前述のように特定する。これら火災表示機２のアドレスを８ビットのディジタルアドレス情報に変換する。
次に、図５に示す通信フレームを用意して、そのアドレスフィールドと情報フィールドとにそれぞれディジタルアドレス情報とディジタル火災表示情報とを挿入して送信データを創成する。複数の火災表示機２に対して表示する場合は、ディジタルアドレス情報を変えてそれぞれ送信データを創成する。
次に、表示機伝送部６は、この送信データを表示機伝送用信号線４２を経由して火災表示機２に送り出す。
【００１６】
一方、火災表示機２の伝送部１５は、送信データのフレーム開始デリミタを検出したら、アドレスフィールドのディジタルアドレス情報を読み込む。読み込んだディジタルアドレス情報のなかに、その火災表示機２のアドレスが指定されていたら、次に情報フィールドのディジタル火災表示情報を読み込む。
表示制御部１６は、このディジタル火災表示情報をＬＣＤ表示フォーマットの情報に変換する。このＬＣＤ表示フォーマットを用いて表示部１７としてのＬＣＤに火災情報を表示する。
火災表示機２の伝送部１５は、アドレスフィールドに自身のアドレスが指定されていないときは、情報フィールドのディジタル火災表示情報を読み込まない。
また、図３に示す感知器１の情報に表示要の火災表示機２が複数ある場合には、その個数分、送信データが送信される。なお、図５におけるアドレスフィールドを拡大して、複数アドレスを指定できるようにしてもよい。
【００１７】
上述の図５に示す通信フレームは、１つの火災表示機２のアドレスに対して１つの送信データを対応しているが、図６に示すようにアドレスフィールドの１ビット毎に各火災表示機２を割り当ててもよい。この場合、例えば火災表示機Ｎｏ．１をアドレスフィールドの最初のビットに割り当て、図３に示すようにＡＤ１の感知器１が発報したとき、その割り当てられたビットに１を立てる。そして、火災表示機Ｎｏ．１の伝送部１５がこのアドレスフィールドの最初のビットが立っていることを検知すると、情報フィールドの表示情報を読み込み、表示部１７にその表示情報を表示する。また、複数の火災表示機２に表示するときは、該当するアドレスフィールドのビットに１を立てることにより設定することができる。対応しないビットは０を立ててある。
なお、２つのアドレス指定の通信フレームに関して説明したが、これらに限るものではなく、火災表示機２のアドレスを指定できればどのような通信フレームであってもよい。
【００１８】
このような火災報知設備は、火災受信機にあらかじめ設定した表示要不要データを参照することにより、個々の火災表示機に区域の情報を設定するような設定作業を省略し、火災受信機での一元管理ができる。
また現場のレイアウトを変更する際、作業者は現場に行かず火災受信機の設定変更だけを行えばいいので作業が簡単に済む。
【図面の簡単な説明】
【００１９】
【図１】この発明に係わる火災報知設備の構成を示す図である。
【図２】図１の火災受信機の表示制御手段の機能を示すブロック図である。
【図３】図２の記憶手段にあらかじめ記憶されている表示要不要データである。
【図４】図１の火災表示機の機能を示すブロック図である。
【図５】図１の火災報知設備で使用される通信フレームの構成を示す図である。
【図６】図１の火災報知設備で使用される他の通信フレームの構成を示す図である。
【符号の説明】
【００２０】
１  感知器、２  火災表示機、３  火災受信機、５  端末伝送部、６  表示機伝送部、７  表示制御手段、８  表示部、９  操作部、１０  記憶手段、１１  表示機特定手段、１２  表示内容創成手段、１３  送信データ創成手段、１４  火災表示機変更手段、１５  伝送部、１６  表示制御部、１７  表示部、４１  端末伝送用信号線、４２  表示機伝送用信号線。
【図１】
2005099946.tif 000003
【図２】
2005099946.tif 000004
【図３】
2005099946.tif 000005
【図４】
2005099946.tif 000006
【図５】
2005099946.tif 000007
【図６】
2005099946.tif 000008